(57)【要約】【課題】本発明の課題は、永久磁石の反発力を利用した低コスト高効率発電装置を提供することにある。【解決手段】前記回転円盤Ａの円周上に前記貫通穴Ａに回転軸と同方向の磁性を有する永久磁石ＡをＮ極・Ｓ極何れか一方の方向に揃えてｎ個挿入・固定し、前記回転円盤Ａの両側には前記回転円盤Ａと同じ円周上に前記回転円盤Ａと同じ等間隔の貫通穴を有する固定円盤Ｂ及びＣを前記回転円盤Ａと対向する位置に一定間隔に配し、前記固定円盤Ｂの前記貫通穴Ｂには前記永久磁石Ａと相互に反発し合う方向の極になるよう永久磁石Ｂをそれぞれｎ−１個挿入・固定し、前記固定円盤Ｃの前記貫通穴Ｃには前記永久磁石Ａと相互に反発し合う方向の極になるよう永久磁石Ｃをそれぞれ挿入・固定し、かつ、前記固定円盤Ｃのそれぞれの磁石Ｃが前記固定円盤Ｂのそれぞれの永久磁石Ｂと円周方向で位相差を設けることによって一連の機構を構成する。【選択図】図９
2015133885.tif 000002
【特許請求の範囲】
【請求項１】
回転軸受けに軸止した軸に前記軸と同心円の回転円盤Ａを軸着し、前記回転円盤Ａの円周上に等間隔のｎ個の貫通穴Ａを設けて前記貫通穴Ａに前記軸と同方向の磁性を有する永久磁石ＡをＮ極・Ｓ極何れか一方の方向に揃えて挿入・固定し、前記回転円盤Ａの両側には前記回転円盤Ａと同じ円周上に前記回転円盤Ａとは異なるｎ−１個の等間隔の貫通穴を有する固定円盤Ｂ及びＣを前記回転円盤Ａと対向する位置に一定間隔に配し、前記固定円盤Ｂの前記貫通穴Ｂには前記回転円盤Ａに挿入・固定している前記永久磁石Ａと相互に反発し合う方向の極になるよう永久磁石Ｂをそれぞれ挿入・固定し、前記固定円盤Ｃの前記貫通穴Ｃには前記回転円盤Ａに挿入・固定している前記永久磁石Ａと相互に反発し合う方向の極になるよう永久磁石Ｃをそれぞれ挿入・固定し、かつ、前記固定円盤Ｃのそれぞれの磁石Ｃが前記固定円盤Ｂのそれぞれの永久磁石Ｂと円周方向で一定角度位相をずらし位相差を設けることによって一連の機構を構成し、前記軸の一方には前記軸を起動するための起動手段はクラッチを介して連結し、かつ、前記軸の他方には発電手段を連結し、前記起動手段を一定時間起動することにより前記回転円盤Ａを所定の回転速度まで到達せしめ、前記回転円盤Ａの前記永久磁石Ａと前記固定円盤Ｂ及びＣの前記永久磁石Ｂ及びＣが連続的に反発し合う性質を用いて発電できることを特徴とする低コスト高効率型発電装置。
【請求項２】
前記固定円盤Ｃの前記回転円盤Ａとは反対方向の前記軸に前記回転円盤Ａと同じ形状を有する回転円盤Ｄを軸着し、かつ、前記回転円盤Ｄと対向する位置に前記固定円盤Ｂと同じ形状と位相を有する固定円盤Ｅを配し、さらに前記固定円盤Ｅと対向する位置に前記回転円盤Ａと同じ形状を有する回転円盤Ｆを前記軸に軸着し、かつ、前記回転円盤Ｆと対向する位置に前記固定円盤Ｃと同じ形状と位相を有する固定円盤Ｇを配するように、回転円盤と固定円盤とを交互に配して位相差を設けることによって一連の機構を構成し、発電能力を倍増できることを特徴とする請求項１に記載の低コスト高効率型発電装置。
【請求項３】
前記回転円盤Ａ、Ｄ、Ｆ及び前記固定円盤Ｂ、Ｃ、Ｅ、Ｇの前記円周の内側又は外側に前記円周同様に複数の永久磁石を前記固定円盤及び前記回転円盤の前記永久磁石の前記配列と円周方向で一定角度位相をずらし位相差を設けることによって、前記回転円盤の回転をより円滑ならしめることを特徴とする請求項１及び２に記載の低コスト高効率型発電装置。
【請求項４】
前記回転円盤の厚さと前記回転円盤の前記穴に挿入・固定した前記永久磁石の長さとを同じくすることにより、或いは、前記回転円盤の厚みの中に前記永久磁石を埋没させることによって、前記回転円盤の回転時の空気抵抗を削減し、発電効率を向上させることができることを特徴とする請求項１乃至３に記載の低コスト高効率型発電装置。
【請求項５】
前記固定円盤及び前記回転円盤で構成する一連の機構を真空容器に収納することによって、前記回転円盤が回転する時の空気抵抗を削減し、発電効率を向上させることができることを特徴とする請求項１乃至４に記載の低コスト高効率型発電装置。
【請求項６】
前記固定円盤及び前記回転円盤に挿入・固定されている永久磁石に磁力回復用コイルをそれぞれ巻き付け磁力回復制御装置（図示せず）と電気的に連動させて磁力回復手段と成し、定期的或いは磁力低下時に強制的に磁力を回復させ永続的に発電できることを特徴とする請求項１乃至５に記載の低コスト高効率型発電装置。
【発明の詳細な説明】
【技術分野】
【０００１】  本発明は、永久磁石の反発力を利用した低コスト高効率発電装置に関するものである。
【背景技術】
【０００２】  特許庁電子図書館で検索したところ、下表に示す特許公開が本発明に関連することが判明したので、個々の提案について述べることにしたい。
2015133885.tif 000003
2015133885.tif 000004
2015133885.tif 000005
【０００３】特許公開２０１３−２３３０６７では、永久磁石板からなる個々の回転子１を円形に配列する。個々の永久磁石板は下部の固定磁石３との間に斥力を受けるので、回転子１が順次回転しながら上位に移動したのち、さらに上部の固定磁石４との斥力により下位に移動し、再び下部の固定磁石３との斥力による回転を繰り返すことのできるガイド５を設ける。さらに、下部の固定磁石３を所定の位置から、回転子１との斥力が無効にとなる位置まで移動させることにより、回転を停止させる構成とする、とあり有限の動力源であるところに大きな問題がある。【０００４】特許公開２０１３−０８１３４７では、本発明の其の１機とする発電機体は従来機と発電原理は同じ電磁誘導方式によるものであるが、本発明の発電方式は従来機のような機械的な力で以って機体の回転軸を駆動させ発電する構式ではない、発明機体は外力を必要としない方式で外部にも応力を示さない静型状発電機体となる、これは電磁誘導学の原理の活用方法を改変した新方式の発明である。原理は磁力線力を中核とし磁石を中心に、電流成分が表わす対ローレンツ力、力成分が表わす対レンツ力で発生する電流等の両力成分をフレミング左右手則の原理が案内するベクトルの作用点に短絡集合合体させた。その部を機械力的合成で相殺させた成分力によるキックバック力を発電原資とした。発明はその発電動力原資をクーロン力四態（重力場，磁力線場，電気力線場，電子原子核間の各場）の内、電子と原子核間場が持つ強大な力を発揮する電子の電流力に求めた。従来機の発電行動は前段取りや膨大な設備や燃料の用意等が必要である、その発電行動の実態はクーロン力場の内、重力場の作用範疇にある、その部分の従来機に対する発明機の発電入力との等価量は、少量のクーロン力を利用した電流力入力で賄え発電することが出来るとする、これは本発明が発見したクーロン力四態の内、力積差間の課題を究明解決した事による力成分を電流力に変更して活用するとする発電方式である。これらの改変原理の新発電結果を利用特徴として製作する新発明原理の発電機体、とあるが実現した事実はない。【０００５】特許公開２０１２−０８７７６９では、請求項１に「磁石の両面を使い磁場を増やした」との記載のみであり、要約の解決手段でも「試作機は直径２ｃｍ高さ１ｃｍの弱い磁石だったが、直径２０センチ高さ１０ｃｍで体積から考えても相当な力が生まれる」と述べるに止まっており、全く具体性のないことが問題である。【０００６】特許公開２００８−０８２３００では、磁性イオン液体は、液体であるが磁性を持っており有色であるが透明である。この磁性イオン液体は、従来産業に利用されてきた磁性微粒子を懸濁させた不透明な磁性流体とは異なる物である。本発明では、磁性イオン液体を利用して、液体収容部に満たされた磁性イオン液体を液体収容部の側面ないしは上面に配置された磁石によってひきつけることにより磁性イオン液体の上面に勾配を生ぜしめて、上記勾配上面内に配置されたサイフォン部給液管からポンプ部をへてサイフォン部排液管へ磁性イオン液体を流すようにして永久機関を模した流体循環装置を実現した、ものであり本発明とは全く技術的思想を異にしている。【０００７】特許公開２００７−２５９６８４では、磁力が強い磁石から弱い磁石へ１列に並べた複数の永久磁石を１セットとし、それを回転体に取り付け、回転体の回転方向と直角方向のみ往復運動を行うことができるピストンに単体の永久磁石を、それぞれ同極が向き合うように設置した装置であり、直角方向の往復運動エネルギーの活用方法或いは電気エネルギーに変換する具体的手段が示されておらず問題が残る。【０００８】特許公開２００７−２２８７７８では、請求項１に「交差させた磁界が発生する磁気エネルギーを利用した永久機関」と記載されているだけで、要約の解決手段でも「磁界が常に交差するように磁石を配置することにより、磁気エネルギーを運動エネルギーに変換し、そのエネルギーを利用した永久機関が可能となる」と述べるに止まり、一定の技術を有するものが実現可能であることという特許要件を満たしていない。【０００９】  特許公開２００６−３５３０９８では、請求項１に示すように磁力整流装置のついた永久磁石を複数個使った「磁力スライダ」であり、本発明とは全く技術的思想を異にしているものである。【００１０】  特許公開２００２−２３５６５７では、慣性体４と連結した可動永久磁石１に同種磁極が向かい合って作る外部磁場を作用させて可動永久磁石１を運動させると、軌道の端のストッパー１２，１３により可動永久磁石１と慣性体の回転軸受け７は急停止するが、非磁性体からなる慣性体４は慣性により慣性体の回転軸６を中心に回転し、可動永久磁石１の磁極反転が起こり、これまでとは逆方向の磁力が可動永久磁石１に作用し、この現象が自律的に反復されることで永久機関が成立するとあるが、実現した事実もなく例え実現できても永久に運動を続ける程度に止まり、その運動エネルギーを電気エネルギーに変換できるレベルには到達し得ないところに大きな問題がある。【００１１】  特許公開２００１−２６８８８７では、（イ）バッテリーからスターターモーターを回転させて、段落とし歯車にて磁気回転ドラム１個を回転させる。（ロ）同じ大きさの同じ磁気回転ドラムを、各独立にて、孤立に６個又は８個並列に取り付ける事によって、磁気流体力学によって、最初の１個の磁気回転ドラムが回転する事によって、同じ回転数にて、他の孤立したドラムが同時に誘導され、リニアモーター式に回転して行きます。（ハ）独立した各ドラムには、発電機がついており、誘導回転と同時に発電され、コンバーターから蓄電されて、スターターモーターの電源となり、バッテリーに蓄電されてインバーターから起動力となって他のモーターを動かし、その他電灯を点けて行くとあるが、その基本原理は永久磁石を交互に取り付けることにあり、本発明とは全く技術的思想を異にするものである。【００１２】  特許公開２００１−０６８２９５では、円盤状永久磁石を多数枚重ね、先端にポリシリコーン被覆をし、永久磁石の先端から出る磁力線の減少等に依って（先端近辺からＸ線、紫外線、等を永久磁石の効果の有る限り出し続けるＸ線、紫外線等発生装置であり、本発明とは全く技術的思想を異にしているものである。【００１３】  特許公開２０００−２９７７４２では、図１５及び図１６に具体的態様らしきものが示されているが、本発明とは全く技術的思想を異��するものである。【００１４】  特許公開２０００−０３２７３６では、一つの円周上に上面の高さが順次低くなるように配置された複数の第１の固定磁石と、前記円周の内側であって、一端が前記第１の固定磁石に対向し、他端がその円の中心部付近に位置するように放射状に配置され、さらに、上面がその円の中心部に向って低くなるように形成された略同一形状の複数の第２の固定磁石と、前記第１の固定磁石および第２の固定磁石上に一定の間隙をおいて略水平配置された支持板と、該支持板に対し水平回転自在に軸支された出力軸と、該出力軸の上端部に傾動自在に軸支された傾動軸と、該傾動軸上端に回転自在に取り付けられた遊星歯車と、該遊星歯車上に取り付けられて、前記第１の固定磁石および第２の固定磁石を含む領域に及ぶサイズの球体支持部材と、前記支持板上に支持柱を介して固定されて、前記遊星歯車を噛合させながらガイドする内歯車と、前記球体支持部材上に転動自在に載置され、かつ前記第１の固定磁石および第２の固定磁石に対して周面側では反発する方向に着磁された回転側磁石を有する重量球体と、前記出力軸の回転が伝えられて電力を発生する発電機とを備えたことを特徴とする永久機関であり、本発明とは全く技術的思想を異にするものである。【００１５】  特許公開平１１−２２０８６８では、遠心力型の動力機関をデスクグラインダーに同軸直結固定する事に依って、グラインダーを高速で回転させる事により大出力の動力機関を得た。また適当な距離をおいた幾重の重ね鉄箱の中に動力機関及び永久機関を入れて周囲からの電波、電場、磁場を完全に遮蔽する事に依って動力機関及び永久機関の作動をスムーズにさせたとあるが、この提案はあくまでも補助装置であり本発明とは全く技術的思想を異にするものである。【００１６】特許公開平１１−０６２８０８では、請求項１に重力、遠心力、加速力等一定方向に働く力に対し外箱（１）及び隔壁（２）により左右に分けられた一方が真空の場合を含む比重の違う流体（３）（４）にまたがる形でフロートを取り付けたホイール（５）を設置し、その場合の各流体と左右フロート間に発生する浮力の差により回転力を得る装置とあるように、本発明とは全く技術的思想を異にするものである。【００１７】  特許公開平１１−０４１９６０では、請求項１には電磁石１のスイッチのオンとオフをコントロールして、永久磁石２或いは超伝導磁石２などを上下運動や往復運動させることにより、発電する方法とあり、要約の解決手段には磁気に関するクーロンの法則によると、永久磁石２或いは超伝導磁石２などと、電磁石１との間に生じる磁力による位置エネルギーＵは、各磁石の磁気量の積であるから、電磁石１への電気エネルギーＥの値によっては、Ｅ＜Ｕとなる場合がある。このとき、電磁石１のスイッチのオンとオフをコントロールして、永久磁石２或いは超伝導磁石２などを運動させることにより、タービンなどを用いて発電する。そして、Ｕ−Ｅ（＞０）のエネルギーを取り出すのである、とあり本発明とは全く技術的思想を異にするものである。【００１８】  特許公開平１０−１６９５３９では、［構成］当発明の構成は、図１の如く、中央円盤（８）から斜め放射状のウエイトスライドアーム（９）を突き出させ、そのスライドウエイトアームに磁石付きスライドウエイトを挿入し、当中央円盤の軸受（７）より水平方向に伸びる軸（１７）を図２の本体垂直円板支持基板（１３）の回転軸受け（１４）にて支持して、自由回転出来るように構成し、本発明請求項１の磁力浮上推進基礎構造の磁力浮上軌道（３）と、磁力推進用軌道（５）にて滑落して来た各磁石付きスライドウエイト（１１）を、当図１にあっては左方向へ浮上移動させて、磁石付きスライドウエイトをスライドアームの形状により、順次滑落させて恒常的な滑落回転運動を発生させるように、構成されているものであり、本発明とは全く技術的思想を異にするものである。【００１９】  特許公開平１０−０７７９５１では、目的は永久磁石を、高い位置に自動的に繰り返して移動し、円盤の重心を常に左側に連続して移動するようにした装置である。これは、外部からは全くエネルギーを供給することなく、自動的に円盤を連続的に回転させて、エネルギーを取り出せるようにした永久機関であり、構成としては固定磁石５と固定磁石６の間に磁石容器１が来たとき固定磁石の反発力と引力により、磁石容器１の中の可動磁石２は上方にあがる、この時円盤４の背面にあるカムにより、磁石容器穴３からピンが出てきて可動磁石２の落下を防止する。また、円盤４の下部に於いても、これと同様に固定磁石１７と固定磁石１８により、磁石容器１の中の可動磁石２は上方にあがり一時的に固定される。上記のようなことが、円盤上の上部と下部において、自動的に繰り返されて少しずつ反時計方向に連続回転をするものであり、本発明とは全く技術的思想を異にするものである。【００２０】  特許公開平０７０８９１では、円盤９は台６に設置され、円盤には区分板１１、内円外板１５、外円外板１６及び可動磁石支え１０により可動磁石５が入る枠組が構成されている。固定磁石１と固定磁石２と可動磁石支えは枠７により支えられている。可動磁石が固定磁石１の磁力に反発して少し上にあがると固定磁石２の引力により内円１２より中円１３の回路に入る。この時円盤が少し左に回ると区分板と可動磁石支えにより中円の回路に維持され乍ら左側へ回転する。次に中円の回路にある可動磁石が固定磁石３と固定磁石４により、中円の回路から中円の回路に移動し、テコ式円盤は更に左側重心となり左回転をする。この時、円盤の下の部分では、これと反対に動作して、可動磁石は中心部へと集中移動してテコ式円盤は左回転を継続するものであり、本発明とは全く技術的思想を異にするものである。【００２１】  特許公開平１０−０６６３６５では、固定磁石４と可動磁石５によりアーム６アームギヤ７が作用して、主可動棒８を上部に移動する、このため円盤の左半分の外側には主可動棒８が発散し、重力は左側にかかる。反対に、下部では主可動棒８は中心部へ移動して集中する。このため、円盤の重力バランスがくずれて円盤は、少しずつ左へ回転するので可動磁石５も上記同様に右へ回転しながら次々と自動的に同じことを繰り返して実行する、このため円盤は連続して回転し続ける。ピン用固定磁石１２のところではピン用可動磁石１１が反発して主可動棒８が落下しないようにする構造である、しかしピン用固定磁石１２の無いところに来ると磁力が無くなりピンは抜けて主可動棒８は自由となるものであり、本発明とは全く技術的思想を異にするものである。【００２２】  特許公開平０９−２３２１３５では、球．球状等の硬質磁石。球．球状等の複合磁石。適合する外径の平面体磁石を球．球状に積層した多層体磁石。両極点部の形状で着磁困難な場合複合磁石を使用し異種多層球体を作成であり、単なる部品或いは素材の提案に止まり本発明とは全く技術的思想を異にするものである。【００２３】  特許公開平０８−１２６２９７では、複数の設備が搬送手段を介して蛇行状に連続配置されてなり、直線状に配置された設備からなる複数の直列ライン間には平行に延びる複数の通路が構成され、該通路の一端側が搬送手段により構成されており、該搬送手段は地下に配設されていることを特徴とする製造ラインであり、本発明とは全く技術的思想を異にするものである。【００２４】  特許公開平０８−０６１２１５では、バネは力学的エネルギーを蓄えることが出来る、又、均等磁界の中で磁石が吸引、或いは反発した状態で移動することは、何ら抵抗が無い。この二つのことにより永久磁石の持っているエネルギーを、バネに蓄え、その時間を延長することが出来る。これは、力積の法則、Δｐ（力積）＝Ｆ（力）×Δｔ（時間）より、エネルギーの増巾作用である。つまり、バネを巻き上げる時間と、その巻き上げたエネルギーを放出する時間の差が大きい程、その増巾率が大きくなる。本機の場合は、主軸の回転角６０度でバネを巻き上げ、１８０度で放出するものであるが、主磁極の直径に対して、衛星状に配置した外部磁極を小さくし、その数を増加すれば、相対的に、大きなエネルギーの蓄積が可能である。即ち、力学的エネルギーをバネに蓄えて、磁界の保持力により増巾されることによって、永久回転を行う装置であり、本発明とは全く技術的思想を異にするものである。【００２５】  特許公開平１０−３１３５７９では、支持部材５に下端が回転自在に支持された傾動軸７と、傾動軸７に取り付けられ一つの円周上に複数の回転側マグネット１７が並設された円板１６と、円板１６の下部周縁の一点を支持し、複数の固定側マグネット６が並設された水平板３と、傾動軸７に対し一端が回動自在に支持されたアーム１２の他端を支持し、円板１６の歳差運動を垂直軸１３を介して受けて電力を発生する発電機２３と、円板１６の上面で、重量球体１９を自由転動可能に支持する環状の球体ガイド１８とを備え、各マグネット６，１７の磁気吸引力および重量球体１９の転動運動により、歳差運動を持続させるものであり、本発明とは全く技術的思想を異にするものである。【００２６】  特許公開平１０−１５５２６７では、傾動軸４の上端部に一端が枢支されたアーム５と、アーム５の他端を傾動軸４の尖端の支持点における垂直線上にて枢支する垂直軸８と、垂直軸８の駆動力を受けて電力を発生する発電機２０と、傾動軸４に取り付けられた円板１１の外周部に円周方向に並設された複数個の回転側マグネット１２と、回転側マグネット１２の上下方向の変位領域を含む長さを持ち、かつ下部が上部より磁力の強い固定側マグネット１３を、円板１１付近に設置するものであり、本発明とは全く技術的思想を異にするものである。【００２��】  特許公開２０１１−０４１４４８では、永久磁石Ｓ極５の上面に永久磁石Ｎ極１が上面に接地して備え、永久磁石Ｓ極５は上面にある永久磁石Ｎ極がよくころがるように永久磁石を取り付ける。永久磁石Ｎ極上面のレバー式ＯＮ，ＯＦＦスイッチの接地金具１９がレバー式ＯＮ，ＯＦＦスイッチ２へ接触になると、永久磁石Ｎ極３がＯＮになりＮ極となって、Ｎ極とＮ極の反発によって、エアーシリンダーピストンロッド１５が伸びる方向へと永久磁石Ｎ極１が動きます。エアーシリンダーピストンロッド１５が動く事により、エアーホース１３，１４を通して、エアー圧縮機９へエアーを送り、エアーが逆方向に流れないよう１方弁として作用するエアーバルブ１８を備えるものであり、本発明とは全く技術的思想を異にするものである。【００２８】  特許公開２０１０−２７５９８０では、シリンダー内に設置したピストンガイドベアリングにより遊動するピストンに同極を向かい合わせに磁石を取り付け、反転するようにツイストベアリングを介してシリンダーに固定したツイストシャフトを挟む形態にする事で、ツイストマグネットとピストンマグネットの同極側は反発し、反対面の異極側は吸着するので、ピストンが移動してコンロッドを介してクランクシャフトを回転させ、同時に回転するカムで設定した時期に、反転力を伝える、磁極反転するとピストンは反対方向への移動力を得て継続的にクランクシャフトを回転させる、さらに３シリンダータイプならクランク角１２０度に設定することにより常に強い回転力が得られるものであり、本発明とは全く技術的思想を異にするものである。【００２９】  特許公開２０００−２３２７７０では、】「連続密素磁極間作用型永久モーターの基本構造」図１のように見込中央線に対し、平行ではなく一方を狭くし、他方を開口した２枚の平板を連続した対称位置に形成し、各々の内側面に異極同士を向けた固定磁石ａ、ｂ（１）を装備せしめて固定磁石軌道Ａ、Ｂ（２）を形成し、当磁極間で見込み中央線に拘束され、かつ当線上を容易に可動可能な可動磁石（３）を構成するとともにその磁極を固定磁石軌道Ａ、Ｂ（２）の固定磁石ａ、ｂ（１）に対し、異極設定してなる連続密素磁極間作用型永久モーターの基本構造を示したものであり、本発明とは全く技術的思想を異にするものである。【００３０】  特許公開平１１−１５５２８０では、「磁極間作用型永久モーターの基本構造」図１のように、見込中央線に対し平行ではなく一方を狭くし他方を開口した２枚の平板で、対称位置を形成し、各々の内側面に異極同士を向けた固定磁石ａ、ｂ（２）を装備せしめて、その狭閉方向に向かっては吸引磁場強度がその進行毎に均一増加されるように形成する固定磁石軌道Ａ、Ｂ（１）を為し、当磁極間で見込中央線上に拘束され、かつ、当線上を容易に可動可能な可動磁石（３）を構成するとともに、磁極を固定磁石軌道Ａ、Ｂ（１）の固定磁石ａ、ｂ（２）に対し、その極面に異極設定して成る磁極間作用型永久モーターの基本構造であり、本発明とは全く技術的思想を異にするものである。【００３１】  特許公開平１０−２８５９０４では、本発明はリニアモーターカーの浮上をヒントにした。リニアモーターカーは自分で作った電気で反発、浮上するから���自分で作った電気で反発、回転できると考えた。図１に示すように、固定子１の直径の内径を１０２センチにし、リニアのようにコイルを１６個巻き、回転子２に、縦１００ミリ、横２００ミリの永久磁石３を４個取り付ける。整流子を固定して、コイルのマイナスを１６個全部アースし、プラスは１個１個を整流子につなぐ。炭素は４個で、回転子２と一緒に回るようにして、コイルと磁石がぴったり重なるところでスパークするようにする。スパークしている時だけ反発する。鉄にコイルが巻かれているから、あとは常に引っ張る。動力で回転子を毎分８００回転で３秒から１０秒回すことにより、固定子のコイルに誘導電流が発生する。ここで参考のために三菱スーパーラインＳと呼ぶモータについて説明する。このモータは固定子で作った磁力で回転子のコイルに電流が発生して、固定子の磁力に引っ張られるところと、反発するところが出来て回転する。このモータの原理を理解すれば、このモータに通電したときと、永久モータを動力で毎分８００回転で３秒から１０秒回した時と同じになることが分かると示しているように、本発明とは全く技術的思想を異にするものである。【００３２】  特許公開平１０−１６４８２２では、Ａ、Ｂ基定基板軌道において、一固定磁石基板の磁場内に概ね３〜４個の可動磁石が適便入るようにするか、又は、間断なく並べて可動磁石が固定磁石軌道の最狭部を通過する際に受ける強磁場を、他の固定磁石磁場内にある可動磁石の推力の和で離脱せしめて、運動を維持する構成とする。固定磁石軌道の形状を変えれば、そこを通過する可動磁石はその軌道に沿って運動するから、単に通常のモーターやリニアモーターカーの他に種々の用途に適応出来ると示されており、本発明とは全く技術的思想を異にするものである。【００３３】  特許公開平０７−１１９６２０では、永久磁石をナナメに放射状に円形にならべて内側、外側の永久磁石の磁極をＮ極はＮ極、Ｓ極はＳ極とむかい合う形でならべて、内側はＳ極とＮ極を向かい合う形でならべ、回転軸方向にむかい合うように円形状に筒を形成して固定筒と回転筒の反発力と吸引力により永久回転とする。トルクの増大は上記の組合わせと円筒の長さ、直径、永久磁石の磁力の増大、数量、かたち、大きさ、ならべ順の組合わせ、磁力線の長さと方向、むきを回転力が高まるように変換する。外側反発力と内側吸引力で磁力線回転体遠心力はうち消される。逆むきにすると、外向磁力と遠心力が加算され強大な遠心力が発生する。又同極どうしのおぼん型又は球形であると、空中にういたまま回転する永久回転体であり、線形にすると、永久直線移動体であると示されており、本発明とは全く技術的思想を異にするものである。【００３４】  特許公開２０１３−２３４５７１では、本発明の絶対にビルを壊さない事を目的とした免震機能付きのクリスタルダイヤ硝子ビル本体の衣食住ビルシステムは、免震杭に砂鉄中抜き円柱の外側に一センチメートルから二センチメートルのグラスファイバーパネルを被せた円柱の中に鉄筋入りコンクリートで固めた免震杭に対して地上のビル高が高く成る事に対して地下を深くしたコンクリートビル本体の代わりに、ビル本体かみ合わせ土台から壁全体のビル周囲全体の積み重ねビル本体基���に対してクリスタルダイヤ硝子鋼鉄柱と鋼鉄ボルトナットを使用したクリスタルダイヤ硝子ピルのセクションかみ合わせ組み立てボルトナット固定の人生一生を暮らす事の出来る生活システムと介護半自動システムが、全て集結している２００年保障の免震機能付き鉄骨入りクリスタルダイヤ硝子ビル周囲地上地下システムが提案されているが、この提案は本発明と全く技術的思想を異にするものである。【００３５】  特許公開２０１２−０９９５０６では、燃料電池発電機の新技術に使用する発電物質は、通常の水素と酸素の化学反応発電と異なる新技術の水に軽水素トリチウムを入れた混合物質を真、空装置の瞬間気化技術等によって混合物質を、半永久連続作動発電技術によって、燃料電。池の世界初半永久連続作動発電を、可能にした燃量電池の半永久連続作動発電の発電効率を、上げた世界初の水に軽水素トリチウムを入れた物質で連続発電出来る燃料電池発電機が提案されているが、この提案は本発明と全く技術的思想を異にするものである。【００３６】  特許公開２０１０−１７４８８１では、エアーコンプレッサーにエアーをためて、エアーシリンダーにエアを送りアームの動く最初をエアーシリンダーが伸縮する事により、おもりの先の当たり面が左右に動きます。次にラックギヤフレームが左右可動用ロッドに当たると、左右２個の永久磁石により、左右こうごにおもりの先の当たり面が発電機のローラーに接触になり、発電機をまわし電気を起こします。左右２個の永久磁石の作用になると、エアーシリンダーへのエアーの供給は止まりますとあり、本発明と全く技術的思想を異にするものである。【００３７】  特許公開２０１０−１２１６１１では、エアーコンプレッサーで圧縮空気をためてエアーバルブよりエアーシリンダーにエアーを送り、エアーシリンダーロッドを伸縮します。このそうさをくりかえすことにより支柱が左右に動きウエイトバランス台が角度（重心の移動）によりさらに大きく支柱が左右に動きます。このウエイトバランス台の角度（重心の移動）が永久発電機の特長です。支柱の動く角度が２７０度ぐらいの時が永久発電機の条件が良い時ですとあるが、本発明と全く技術的思想を異にするものである。【００３８】  特許公開２００５−０３７３３８では、高密度核融合方法により作製するＤ−チューブのスパイラル管はサークル管の一部をコイル状に巻いたもので、サークル管の静止磁場が連続的に移動する動的な磁界が形成される。Ｄ−チューブの超伝導磁界は強烈な磁界力を備えており金属導体の電子群を意のままに配列させてしまうので一定方向に強制配列させられた電子は直流電流（電子磁束）を生み出す。其の電子磁束を利用する事により無燃料無駆動の永久発電機を造ることが提案されているが、本発明と全く技術的思想を異にするものである。【００３９】  特許公開平１１−１５０９３８では、回転磁界による電磁場内に置かれたリングコア型ミニブラックホールに対生成した正磁気と反磁気の結合による対消滅量子反応により発生した大きなエネルギーの電力を、整流器により直流にして取り出し、その出力電力の一部を入力エネルギーとして返還して循環することにより、電力増殖作用による永久発電を可能にしたものが提案されているが、本発明と全く技術的思想を異にするものである。【００４０】  特許公開平１０−００２２７８では、発明が解決しようとする課題に、水圧は力＝エネルギーでありこれを取出す〔課題を解決するための手段〕水中の浮帯は総和力で浮昇し先頭空中に上る特許請求項と同水塔水槽水浮帯転輪等を用う〔作用〕浮帯は永久に浮昇降下循環駆動し転輪を回転させ出力を該軸が取次ぎ発電機は稼働す但し当願は発電機を取外した状態で示す〔実施例〕朱花落ちて波浪に昇る詩景を嘆く幼心に輪廻遙揺毬を庭池水中から空中へ翔ばし又母が遺愛の珠数輪を水面に描き重ねて浮き珠数を得高低二つの水とを併せ唐繰は成るただ水塔水中と空中に亘る浮帯を用いたこの実施例を第１図に示す水１は槽水１ａから立つ水塔３中空中が２水塔３の溜水管３ａは浮子４の洩止環４ｃをほぼ密に嵌合し該環２個の間隔強長さがある浮帯５は浮子４を環状に小環４ａ同４ｂで順次連結し水１中に一方５ａを空中２には他方５ｂを垂下させ両者で円環面を形取る折兼駆動輪で高頂部の転輪６と導輪７に巻掛け朱花空落昇浪輪廻図に得た構造を総て了わる因って回転駆動す転輪の軸回転を介し発電す動態雑多詳記は簡明な図面の一見に任す水中の浮帯が総和力で最先体を空中に押昇げ水圧エネルギーは遂に回転力に転換取出された〔発明の効果〕未来永劫  人類他地球に無害の源動力を恵む尚当機関は共軸復列にして所望の出力を得浮子は軽剛が良但し柔弾適圧の理も考思す溜止管は半硬軟材か内柔外剛管使用が最秀渚惜想す二千年前当発明は容易に為し得たを井池沼湖は天然人造に無数あり亦水圧エネルギーは不減不滅の仏典語通りに永存す偖頭頂で澪水する揚水装置に浮子間隔大な浮帯他有孔の部分隔室形袴ばき形浮子を用うものであり、本発明と全く技術的思想を異にするものである。
【発明の開示】
【発明が解決しようとする課題】
【００４１】  本発明の課題は、低コスト型高効率発電装置を提案することにある。
【課題を解決するための手段】
【００４２】  本発明の課題解決手段について説明する。
請求項１の発明においては、回転軸受けに軸止した軸に前記軸と同心円の回転円盤Ａを軸着し、前記回転円盤Ａの円周上に等間隔のｎ個の貫通穴Ａを設けて前記貫通穴Ａに前記軸と同方向の磁性を有する永久磁石ＡをＮ極・Ｓ極何れか一方の方向に揃えて挿入・固定し、前記回転円盤Ａの両側には前記回転円盤Ａと同じ円周上に前記回転円盤Ａとは異なるｎ−１個の等間隔の貫通穴を有する固定円盤Ｂ及びＣを前記回転円盤Ａと対向する位置に一定間隔に配し、前記固定円盤Ｂの前記貫通穴Ｂには前記回転円盤Ａに挿入・固定している前記永久磁石Ａと相互に反発し合う方向の極になるよう永久磁石Ｂをそれぞれ挿入・固定し、前記固定円盤Ｃの前記貫通穴Ｃには前記回転円盤Ａに挿入・固定している前記永久磁石Ａと相互に反発し合う方向の極になるよう永久磁石Ｃをそれぞれ挿入・固定し、かつ、前記固定円盤Ｃのそれぞれの磁石Ｃが前記固定円盤Ｂのそれぞれの永久磁石Ｂと円周方向で一定角度位相をずらし位相差を設けることによって一連の機構を構成し、前記軸の一方には前記軸を起動するための起動手段はクラッチを介して連結し、かつ、前記軸の他方には発電手段を連結し、前記起動手段を一定時間起動することにより前記回転円盤Ａを所定の回転速度まで到達せしめ、前記回転円盤Ａの前記永久磁石Ａと前記固定円盤Ｂ及びＣの前記永久磁石Ｂ及びＣが連続的に反発し合う性質を用いて発電できる低コスト高効率型発電装置であることを特徴とする。【００４３】請求項２の発明においては、前記固定円盤Ｃの前記回転円盤Ａとは反対方向の前記軸に前記回転円盤Ａと同じ形状を有する回転円盤Ｄを軸着し、かつ、前記回転円盤Ｄと対向する位置に前記固定円盤Ｂと同じ形状と位相を有する固定円盤Ｅを配し、さらに前記固定円盤Ｅと対向する位置に前記回転円盤Ａと同じ形状を有する回転円盤Ｆを前記軸に軸着し、かつ、前記回転円盤Ｆと対向する位置に前記固定円盤Ｃと同じ形状と位相を有する固定円盤Ｇを配するように、回転円盤と固定円盤とを交互に配して位相差を設けることによって一連の機構を構成し、発電能力を倍増できる請求項１に記載の低コスト高効率型発電装置であることを特徴とする。【００４４】請求項３の発明においては、前記回転円盤Ａ、Ｄ、Ｆ及び前記固定円盤Ｂ、Ｃ、Ｅ、Ｇの前記円周の内側又は外側に前記円周同様に複数の永久磁石を前記固定円盤及び前記回転円盤の前記永久磁石の前記配列と円周上で一定角度位相をずらし位相差を設けることによって、前記回転円盤の回転をより円滑ならしめる請求項１及び２に記載の低コスト高効率型発電装置であることを特徴とする。【００４５】請求項４の発明においては、前記回転円盤の厚さと前記回転円盤の前記穴に挿入・固定した前記永久磁石の長さとを同じくすることにより、或いは、前記回転円盤の厚みの中に前記永久磁石を埋没させることによって、前記回転円盤の回転時の空気抵抗を削減し、発電効率を向上させることができる請求項１乃至３に記載の低コスト高効率型発電装置であることを特徴とする。【００４６】請求項５の発明においては、前記固定円盤及び前記回転円盤で構成する一連の機構を真空容器に収納することによって、前記回転円盤が回転する時の空気抵抗を削減し、発電効率を向上させることができる請求項１乃至４に記載の低コスト高効率型発電装置であることを特徴とする。【００４７】請求項６の発明においては、前記回転円盤及び前記固定円盤に挿入・固定されている永久磁石に磁力回復用コイルをそれぞれ巻き付け磁力回復制御装置と電気的に連動させて磁力回復手段と成し、定期的或いは磁力低下時に強制的に磁力を回復させ永続的に発電できる請求項１乃至５に記載の低コスト高効率型発電装置であることを特徴とする。
【発明の効果】
【００４８】  本発明によって、低コスト高効率型発電装置の製造が可能となった。従来の太陽光・太陽熱発電のように昼間の日照時間のみに発電が限定され、或いは風力発電のように風のある時のみに発電が限定されるという煩わしさから解放され、何時でも何処でも誰にでも簡単・安全かつ安価に良質の電力を得ることができるようになった。【００４９】  この発電装置は、電力需要家のオンサイト設置により送電設備が不要となるので、送電設備の建設コスト削減に繋がるばかりか送電ロスも解消でき、エネルギー効率が飛躍的に向上し地球温暖化の原因である炭酸ガス排出量の抑制効果も莫大である。これまで主として水力・火力・原子力発電に依存していた電力需給体勢も低コスト高効率発電により電力供給の選択肢が広がり、この国の未来はもとより宇宙船地球号の未来にとってもあらゆる観点から優れたエネルギー供給源になることは疑うまでもないことである。
【発明を実施するための最良の形態】
【００５０】  発明を実施するための最良の形態について説明する。
［図１］は本発明の実施例の具体的態様を示す図である。
［図２］は本発明の実施例の具体的態様を示す詳細図面である。
［図３］は本発明の実施例の具体的態様を示す詳細図面である。
［図４］は本発明の実施例の具体的態様を示す詳細図面である。
［図５］は本発明の他の実施例の具体的態様を示す図面である。
［図６］は本発明の他の実施例の具体的態様を示す詳細図面である。
［図７］は本発明の他の実施例の具体的態様を示す詳細図面である。
［図８］は本発明の他の実施例の具体的態様を示す断面図である。
［図９］は本発明の他の実施例の具体的態様を示す図面である。
［図１０］は本発明の他の実施例の具体的態様を示す断面図である。
【実施例】
【００５１】  本発明の実施例の具体的態様について［図１］乃至［図４］に基づき説明する。
請求項１の発明においては、回転軸受けに軸止した軸（７）に前記軸（７）と同心円の回転円盤Ａ（１）を軸着し、前記回転円盤Ａ（１）の円周上に等間隔の複数の貫通穴Ａ（１ａ）を設けて前記貫通穴Ａ（１ａ）に前記軸（７）と同方向の磁性を有する永久磁石Ａ（１９）をＮ極・Ｓ極何れか一方の方向に揃えて挿入・固定し、前記回転円盤Ａ（１）の両側には前記回転円盤Ａ（１）と同じ円周上に前記回転円盤Ａ（１）とは異なるｎ−１個の等間隔の貫通穴を有する固定円盤Ｂ（２）及びＣ（３）を前記回転円盤Ａ（１）と対向する位置に一定間隔に配し、前記固定円盤Ｂ（２）の前記貫通穴Ｂ（２ａ）には前記回転円盤Ａ（１）に挿入・固定している前記永久磁石Ａ（１９）と相互に反発し合う方向の極になるよう永久磁石Ｂ（２０）をそれぞれ挿入・固定し、前記固定円盤Ｃ（３）の前記貫通穴Ｃ（３ａ）には前記回転円盤Ａ（１）に挿入・固定している前記永久磁石Ａ（１９）と相互に反発し合う方向の極になるよう永久磁石Ｃ（２０）をそれぞれ挿入・固定し、かつ、前記固定円盤Ｃ（３）のそれぞれの磁石Ｃ（２０）が前記固定円盤Ｂ（２）のそれぞれの永久磁石Ｂ（２０）と円周方向で一定角度位相をずらし位相差を設けることによって一連の機構を構成し、前記軸（７）の一方には前記軸（７）を起動するための起動手段（１２）はクラッチ（１１）を介して連結し、かつ、前記軸（７）の他方には発電手段（１０）を連結し、前記起動手段（１２）を一定時間起動することにより前記回転円盤Ａ（１）を所定の回転速度まで到達せしめ、前記回転円盤Ａ（１）の前記永久磁石Ａ（１９）と前記固定円盤Ｂ（２）及びＣ（３）の前記永久磁石Ｂ（２０）及びＣ（２０）が連続的に反発し合う性質を用いて発電できるように成した。【００５２】  本発明の実施例では、回転円盤Ａ（１）及び固定円盤Ｂ（２）、Ｃ（３）には厚さ１０ミリメートルのポリカーボネート透明板を、前記回転円盤Ａ（１）及び前記固定円盤Ｂ（２）、Ｃ（３）上のピッチ円直径１９１ミリメートルの円周上の永久磁石Ａ（１９），Ｂ（２０）には株式会社マグナ製ネオジム磁石直径１０ミリメートル、長さ１０ミリメートルの永久磁石２４個をそれぞれ使用した。前記永久磁石Ａ（１９），Ｂ（２０）を挿入・固定するための貫通孔（１ａ），（２ａ）のピッチ円直径については必ずしもこれに限定されるものではない。ピッチ円直径は１９１ミリメートル以上でもよく１９１ミリメートル以下でもよく、また永久磁石の個数も必ずしも２４個に限定されるものではなく２４個以上でもよく２４個以下でもよい。また永久磁石の形状についても必ずしも円形に限定されるものではなく三角形でも四角形でも台形でも菱形や楕円形その他の形でもよく、またさらに永久磁石の材質についてもサマリウムコバルト磁石、フェライト磁石或いはその他の磁性を示す材料でもよく、必ずしもこれに限定されるものではない。また、回転円盤及び固定円盤の材質はポリカーボネート材を使用したが非磁性であれば金属材料でも非金属材料でもよく必ずしもこれに限定されるものではない。【００５３】  本発明の実施例では、回転円盤にｎ個の貫通孔を、固定円盤にはｎ−１個の貫通孔をそれぞれ設けたが必ずしもこれに限定されるものではない。��の逆に回転円盤にｎ−１個の貫通孔を、固定円盤にはｎ個の貫通孔をそれぞれ設けることもできるのである。【００５４】  また本発明の実施例では、起動手段に電磁ブレーキ付誘導電動機を使用したが、この起動手段についてはその他の電動機でも油圧モーターや空気圧モーターでもよく必ずしもこれに限定されるものではない。回転円盤を一定の時間に所定の回転数まで到達せしめることができればよいのである。【００５５】  本発明の他の実施例の具体的態様について［図５］に基づき説明する。
請求項２の発明においては、前記固定円盤Ｃ（３）の前記回転円盤Ａ（１）とは反対方向の前記軸（７）に前記回転円盤Ａ（１）と同じ形状を有する回転円盤Ｄ（１３）を軸着し、かつ、前記回転円盤Ｄ（１３）と対向する位置に前記固定円盤Ｂ（２）と同じ形状と位相を有する固定円盤Ｅ（１４）を配し、さらに前記固定円盤Ｅ（１４）と対向する位置に前記回転円盤Ａ（１）と同じ形状を有する回転円盤Ｆ（１５）を前記軸（７）に軸着し、かつ、前記回転円盤Ｆ（１５）と対向する位置に前記固定円盤Ｃ（３）と同じ形状と位相を有する固定円盤Ｇ（１６）を配するように、回転円盤と固定円盤とを交互に配して位相差を設けることによって一連の機構を構成し、発電能力を倍増できるように成した。【００５６】  このようにすると、発電装置全体の外形寸法を小さくすることができ省スペースになるばかりか、一組の起動手段及び発電手段で大きな発電能力を得ることができるため発電装置全体のコスト縮減にも繋がり一石二鳥の効果を得ることができる。【００５７】  本発明の他の実施例の具体的態様について［図６］及び［図７］に基づき説明する。
請求項３の発明においては、前記回転円盤Ａ（１）、Ｄ（１３）、Ｆ（１５）及び前記固定円盤Ｂ（２）、Ｃ（３）、Ｅ（１４）、Ｇ（１６）の前記円周の内側又は外側に前記円周同様に複数の永久磁石（１９）、（２０）を前記回転円盤Ａ（１）、Ｄ（１３）、Ｆ（１５）及び前記固定円盤Ｂ（２）、Ｃ（３）、Ｅ（１４）、Ｇ（１６）の前記永久磁石（１９）、（２０）の前記配列と円周方向で一定角度位相をずらし位相差を設けることによって、前記回転円盤の回転をより円滑ならしめることができる。【００５８】  このようにすると、回転円盤を挟む両側の固定円盤の永久磁石の位相差により、回転円盤回転時に回転円盤が左右交互に繰り返し受ける交番荷重を解消することができるので、回転円盤を構成する材料強度を必要以上に確保しなくてもよく、さらに発電装置のコスト縮減ができる。【００５９】  本発明の他の実施例の具体的態様について［図８］に基づき説明する。
請求項４の発明では、前記回転円盤Ａ（１）、Ｄ（１３）、Ｆ（１５）の厚さと前記回転円盤Ａ（１）、Ｄ（１３）、Ｆ（１５）の前記穴に挿入・固定した前記永久磁石（１９）、（２０）の長さとを同じくすることにより、或いは、前記回転円盤の厚みの中に前記永久磁石を埋没させることによって、前記回転円盤の回転時の空気抵抗を削減できるように成した。【００６０】  本発明の他の実施例では、厚さ１０ミリメートルのポリカーボネート板に直径１０ミリメートル、長さ１０ミリメートルの永久磁石を埋め込んだが、必ずしもこれに限定されるものではない。回転盤の厚さよりも短い永久磁石を埋め込み樹脂等の封止材料で封止してもよく、また突起した永久磁石を回転方向に連続したカバーで被ってもよいのである。【００６１】  このようにすると、回転円盤回転時の永久磁石による突起物の空気抵抗分だけ発電効率が高まり、さらに発電装置の能力向上に繋がることができる。【００６２】  本発明の他の実施例の具体的態様について［図９］に基づき説明する。
請求項５の発明においては、前記固定円盤及び前記回転円盤で構成する一連の機構を真空容器に収納することによって、前記回転円盤が回転する時の空気抵抗を削減できるように成した。【００６３】  このようにすると、回転円盤回転時の回転円盤表面の空気摩擦抵抗が解消できるばかりか、発電手段内の回転子の空気摩擦抵抗も解消できるので、さらに発電能力の向上に繋がることができる。【００６４】  本発明の他の実施例の具体的態様について［図１０］に基づき説明する。
請求項６の発明においては、前記回転円盤（１）及び前記固定円盤（２）に挿入・固定されている永久磁石（１９）、（２０）に磁力回復用コイル（１９ａ），（２０ａ）をそれぞれ巻き付け磁力回復制御装置（図示せず）と電気的に連動させた磁力回復手段と成し、定期的或いは磁力低下時に強制的に磁力を回復し発電装置を永続的に稼働できるように成した。【００６５】  本発明の他の実施例では、前記回転円盤Ｄ（１３）、Ｆ（１５）及び前記固定円盤Ｃ（３）、Ｅ（１４）、Ｇ（１６）にも同様の磁力回復手段を設けていることはいうまでもない。このようにすると、半永久的といわれている永久磁石の磁力が万一低下しても、強制的に磁力を回復させることができるので、発電装置を半永久的に稼働させることができるのである。
【産業上の利用可能性】
【００６６】  本発明により、低コスト高効率型発電装置の製造が可能となった。従来の太陽光・太陽熱発電のように昼間の日照時間のみに発電が限定され、或いは風力発電のように風のある時のみに発電が限定されるという煩わしさから解放され、何時でも何処でも誰にでも簡単・安全かつ安価に良質の電力を得ることができるようになった。【００６７】  この発電装置は、電力需要家のオンサイト設置により送電設備が不要となるので、送電設備の建設コスト削減に繋がるばかりか送電ロスも解消でき、エネルギー効率が飛躍的に向上し地球温暖化の原因である炭酸ガス排出量の抑制効果も莫大である。これまで主として水力・火力・原子力発電に依存していた電力需給体勢も低コスト高効率発電により電力供給の選択肢が広がり、この国の未来はもとより宇宙船地球号の未来にとってもあらゆる観点から優れたエネルギー供給源になることは疑うまでもないことである。
【図面の簡単な説明】
【００６８】
【図１】は本発明の実施例の具体的態様を示す図である。
【図２】は本発明の実施例の具体的態様を示す詳細図面である。
【図３】は本発明の実施例の具体的態様を示す詳細図面である。
【図４】は本発明の実施例の具体的態様を示す詳細図面である。
【図５】は本発明の他の実施例の具体的態様を示す図面である。
【図６】は本発明の他の実施例の具体的態様を示す詳細図面である。
【図７】は本発明の他の実施例の具体的態様を示す詳細図面である。
【図８】は本発明の他の実施例の具体的態様を示す断面図である。
【図９】は本発明の他の実施例の具体的態様を示す図面である。
【図１０】は本発明の他の実施例の具体的態様を示す断面図である。
【符号の説明】
【００６９】１    回転円盤Ａ
１ａ  貫通孔
１ｂ  貫通孔
２    固定円盤Ｂ
２ａ  貫通孔
２ｂ  貫通孔
３    固定円盤Ｃ
３ａ  貫通孔
３ｂ  貫通孔
４    支持具
５    支持具
６    軸着手段
７    軸
８    軸受け
９    カップリング
１０  発電手段
１１  クラッチ
１２  起動手段
１３  回転円盤Ｄ
１４  固定円盤Ｅ
１５  回転円盤Ｆ
１６  固定円盤Ｇ
１７  支持具
１８  支持具
１９  永久磁石Ａ
２０  永久磁石Ｂ
２１  真空容器
２２  磁力回復用コイル
２３  架台
【図１】
2015133885.tif 000006
【図２】
2015133885.tif 000007
【図３】
2015133885.tif 000008
【図４】
2015133885.tif 000009
【図５】
2015133885.tif 000010
【図６】
2015133885.tif 000011
【図７】
2015133885.tif 000012
【図８】
2015133885.tif 000013
【図９】
2015133885.tif 000014
【図１０】
2015133885.tif 000015